(57)【要約】【課題】室内に限らず室外、屋外において催される各種イベントの会場において多人数をきれいに撮影したり、商業施設に持ち込んで当該施設に関する宣伝用写真を撮影できるようにする。【解決手段】カメラおよびモニタを収容しストロボ４が取り付けられた筐体２を室内に限らず室外、屋外において催される各種イベントの会場、美容室や服飾販売店などの商業施設に搬入して設置する。これにより、屋内外のパーティ会場などにおいて１人に限らず多人数をきれいに撮影して楽しむことができる一方、美容室や服飾販売店に筐体２を設置すれば、美容室で提供可能なヘアースタイルを撮影し、服飾販売店で販売可能な服を着たモデルを撮影することができる。よって、遊技者自身を撮影するという個人の楽しみにとどまらず、撮影した画像をＳＮＳに投稿するなどして店の宣伝広告にも活用することができて非常に有用である。【選択図】図５
2017060109.tif 000002
【特許請求の範囲】
【請求項１】
遊技者を撮影するカメラおよび複数個のストロボを運搬可能に構成されて成る可搬型撮影スタジオ装置において、
前記カメラが収容されるとともに前記複数個のストロボが取り付けられ室内外に設置される可動式の筐体と、
前記筐体に収容され前記カメラにより撮影されるビューアー画像を画面に表示するモニタと、
前記筐体に収容され前記カメラのシャッターをオンするためのオン信号を出力する作動手段と、
前記筐体に収容され撮影対象の遊技者の顔認識により人数を検出する人数検出手段と、
前記筐体に収容され撮影対象の遊技者までの距離を検出する距離検出手段と、
前記筐体に収容され、撮影対象の遊技者の人数に対応する前記カメラの画角データおよびズーム値データを予め記憶するとともに、撮影対象の遊技者までの距離に対応する前記各ストロボの強度データを予め記憶した記憶手段と、
前記筐体に内蔵され、前記人数検出手段により検出される前記人数に応じた前記画角データおよび前記ズーム値データを前記記憶手段から読み出して前記カメラの画角およびズーム値を制御するとともに、前記距離検出手段により検出される前記距離に応じた前記強度データを前記記憶手段から読み出して前記各ストロボを制御して、前記作動手段による前記オン信号に基づき前記カメラのシャッターおよび前記各ストロボを作動させる制御手段と、
前記筐体に内蔵され、前記カメラにより撮影した撮影画像をダウンロード可能に外部のサーバー装置にアップロードする通信手段と
を備えることを特徴とする可搬型撮影スタジオ装置。
【請求項２】
前記作動手段は、
遊技者の操作に基づき前記カメラのシャッターの遠隔操作のための操作信号を送信する遠隔操作手段と、
前記筐体に収容され前記遠隔操作手段からの操作信号を受信する受信手段とを備え、
前記制御手段は、前記受信手段により受信される前記操作信号を前記オン信号として、前記カメラのシャッターおよび前記各ストロボを作動させることを特徴とする請求項１に記載の可搬型撮影スタジオ装置。
【請求項３】
前記遠隔操作手段は、前記カメラの画角およびズーム値を設定する操作を許容して前記画角および前記ズーム値の設定信号を前記受信手段に対して送信し、
前記制御手段は、前記受信手段が前記設定信号を受信すると、受信した前記設定信号に基づく前記画角および前記ズーム値に前記カメラを制御し、前記受信手段により受信される前記操作信号を前記オン信号として、前記カメラのシャッターおよび前記各ストロボを作動させることを特徴とする請求項２に記載の可搬型撮影スタジオ装置。
【請求項４】
前記各ストロボは、伸縮自在の支持部材によりそれぞれ前記筐体に取り付けられ、前記支持部材の伸縮および前記支持部材の前記筐体への取付角度の変更により前記筐体に対する取付位置が調整されることを特徴とする請求項１ないし３のいずれかに記載の可搬型撮影スタジオ装置。
【請求項５】
前記筐体は、上半部と下半部が分離・結合可能に形成され、上半部には前記カメラおよび前記モニタが収容され、下半部には前記制御手段、前記記憶手段、前記両センサおよび前記通信手段が収容されることを特徴とする請求項１ないし４のいずれかに記載の可搬型撮影スタジオ装置。
【請求項６】
前記筐体の外部に設けられる外部ストロボをさらに備え、
前記制御手段は、前記受信手段による前記操作信号の受信により、前記外部ストロボを作動させることを特徴とする請求項１ないし５のいずれかに記載の可搬型撮影スタジオ装置。
【発明の詳細な説明】
【技術分野】
【０００１】
本発明は、１人または複数人の遊技者を撮影するカメラおよび複数個のストロボを運搬可能に構成されて成る可搬型撮影スタジオ装置に関する。
【背景技術】
【０００２】
従来、例えば特許文献１に記載のように、筐体に設けられた撮影ブースにおいて、カメラにより遊技者を撮影し、筐体に撮影ブースとは別に設けられた編集ブースにおいて、撮影画像に対して遊技者が入力した編集画像を合成し、シール台紙に合成画像を印刷して遊技者に提供するいわゆるプリクラと称される画像合成装置がある。
【０００３】
また、近年、上記した画像合成装置において、通信網を介して外部のサーバー装置にアクセスし、撮影により得られた撮影画像および編集により得られた合成画像を特定するための特定情報に関連付けてサーバー装置にアップロードし、特定情報に基づいてサーバー装置から対応する撮影画像および／または合成画像をダウンロードする通信機能を備えることも提案されている。
【先行技術文献】
【特許文献】
【０００４】
【特許文献１】特開２０１３−２５５２１７号公報
【発明の概要】
【発明が解決しようとする課題】
【０００５】
しかし、従来のこの種の画像合成装置は、ゲームセンターなど限られた場所にしか設置されず、しかも移動不可能に固定設置されるため、遊技者が上記したような撮影および編集の遊技を楽しむには装置が設置されているゲームセンターに出向いて遊技しなければならず、遊技者層も小中高の学生に限られることが多く、遊技の機会が制限されるという問題があり、その一方で、例えば学園祭、結婚式やコンサート等のイベント会場など、多くの人が集まる場所で、幅広い年齢の遊技者が撮影や編集プレイを楽しめるようにすることが望まれている。
【０００６】
さらに、従来の画像合成装置の場合、シール台紙に撮影画像や編集を施した合成画像を印刷して仲間同士で楽しむことはできるが、撮影画像のデータ量の違いなどから写真印画紙にプリントしてきれいで多様なポートレート写真を一人で楽しむようには構成されておらず、きれいなポートレート写真等をゲームセンター以外の場所において一人や多人数で楽しむという需要に応えることができない。
【０００７】
また、従来の画像合成装置は設置場所が限定されているため、美容室やブティック、アパレルショップ、デパートなどの服飾販売店に自由に搬入設置することができず、例え上記したようにサーバー装置に撮影画像をアップロードする機能を有していても、美容室で提供可能なヘアースタイルを撮影し、或いは、ブティック、アパレルショップ、デパートなどの服飾販売店で販売可能な服を着たモデルを撮影し、Ｉｎｓｔａｇｒａｍ（登録商標）やＦａｃｅｂｏｏｋ（登録商標）、Ｔｗｉｔｔｅｒ(登録商標)、ＬＩＮＥ（登録商標）などのＳＮＳ（Ｓｏｃｉａｌ  Ｎｅｔｗｏｒｋｉｎｇ  Ｓｅｒｖｉｃｅ）に撮影した画像を手軽に投稿して、美容室や服飾販売店等の宣伝や販売促進に供するような使い方は不可能であることから、撮影画像を宣伝や販売促進に利用できるように、これら美容室や服飾販売店等に簡単に持ち込めるようにすることも望まれている。
【０００８】
本発明は、室内に限らず室外、屋外において催される各種イベントの会場において、多人数をきれいに撮影したり、商業施設に持ち込んで当該施設に関する宣伝用写真を撮影できるようにすることを目的とする。
【課題を解決するための手段】
【０００９】
上記した目的を達成するために、本発明に係る可搬型撮影スタジオ装置は、遊技者を撮影するカメラおよび複数個のストロボを運搬可能に構成されて成る可搬型撮影スタジオ装置において、前記カメラが収容されるとともに前記複数個のストロボが取り付けられ室内外に設置される可動式の筐体と、前記筐体に収容され前記カメラにより撮影されるビューアー画像を画面に表示するモニタと、前記筐体に収容され前記カメラのシャッターをオンするためのオン信号を出力する作動手段と、前記筐体に収容され撮影対象の遊技者の顔認識により人数を検出する人数検出手段と、前記筐体に収容され撮影対象の遊技者までの距離を検出する距離検出手段と、前記筐体に収容され、撮影対象の遊技者の人数に対応する前記カメラの画角データおよびズーム値データを予め記憶するとともに、撮影対象の遊技者までの距離に対応する前記各ストロボの強度データを予め記憶した記憶手段と、前記筐体に内蔵され、前記人数検出手段により検出される前記人数に応じた前記画角データおよび前記ズーム値データを前記記憶手段から読み出して前記カメラの画角およびズーム値を制御するとともに、前記距離検出手段により検出される前記距離に応じた前記強度データを前記記憶手段から読み出して前記各ストロボを制御して、前記作動手段による前記オン信号に基づき前記カメラのシャッターおよび前記各ストロボを作動させる制御手段と、前記筐体に内蔵され、前記カメラにより撮影した撮影画像をダウンロード可能に外部のサーバー装置にアップロードする通信手段とを備えることを特徴としている。
【００１０】
係る構成によれば、カメラが収容され複数個のストロボが取り付けられた可動式の筐体を、室内外の所定場所に設置し、遊技者が撮影しようとすると、人数検出手段により撮影対象の遊技者の人数が検出されるとともに、距離検出手段により撮影対象の遊技者までの距離が検出され、制御手段によって、検出された人数に応じた画角データおよびズーム値データが記憶手段から読み出されてカメラの画角およびズーム値が制御されるとともに、検出された距離に応じた強度データが記憶手段から読み出されて各ストロボが制御され、モニタに表示されるビューアー画像を見ながらポーズをとると、制御手段により、作動手段によるオン信号に基づきカメラのシャッターおよび各ストロボが作動され、遊技者が所望したタイミングで撮影される。
【００１１】
そして、撮影後、撮影した画像をサーバー装置にアップロードすることにより、いつでもダウンロードして写真の印画紙にプリントしたり、ＳＮＳに画像を投稿したりすることができる。
【００１２】
そのため、撮影対象の遊技者が多人数であっても、人数に応じた画角、ズーム値で遊技者を撮影することができ、室内外で多人数をきれいで自然な雰囲気で撮影して楽しむことができ、商業施設に持ち込めば、店の宣伝用の画像を撮影することができる。このとき、通常カメラには自動露出機能が備わっているため、カメラの自動露出機能により、外光の状況に応じた露出時間で撮影されることから、カメラの画角、ズーム値の設定を行うことで、プロが撮影するのと同じようにきれいに撮影できる。
【００１３】
また、前記作動手段は、遊技者の操作に基づき前記カメラのシャッターの遠隔操作のための操作信号を送信する遠隔操作手段と、前記筐体に収容され前記遠隔操作手段からの操作信号を受信する受信手段とを備え、前記制御手段は、前記受信手段により受信される前記操作信号を前記オン信号として、前記カメラのシャッターおよび前記各ストロボを作動させるものであってもよい。
【００１４】
係る構成によれば、遊技者が自由なタイミングでシャッターを遠隔操作して撮影することができ、遊技者の表情が格式張ることがなく、遊技者を自然な表情で撮影することができる。
【００１５】
また、前記遠隔操作手段は、前記カメラの画角およびズーム値を設定する操作を許容して前記画角および前記ズーム値の設定信号を前記受信手段に対して送信し、前記制御手段は、前記受信手段が前記設定信号を受信すると、受信した前記設定信号に基づく前記画角および前記ズーム値に前記カメラを制御し、前記受信手段により受信される前記操作信号を前記オン信号として、前記カメラのシャッターおよび前記各ストロボを作動させるようにしてもよい。
【００１６】
係る構成によれば、カメラの画角、ズーム値を、撮影対象である遊技者が設定することができるため、多人数の遊技者のズームアップ撮影も可能になり、予め設定された画角やズーム値にこだわらない自由な画角やズーム値で撮影することができる。
【００１７】
また、前記各ストロボは、伸縮自在の支持部材によりそれぞれ前記筐体に取り付けられ、前記支持部材の伸縮および前記支持部材の前記筐体への取付角度の変更により前記筐体に対する取付位置が調整されるようにするとよい。
【００１８】
係る構成によれば、支持部材の筐体に対する長さや角度を変えることにより、撮影対象となる遊技者の予想人数が多くなるときであっても、ストロボにより効果的に照明することができ、多人数をきれいに撮影することができる。
【００１９】
また、前記筐体は、上半部と下半部が分離・結合可能に形成され、上半部には前記カメラおよび前記モニタが収容され、下半部には前記制御手段、前記記憶手段、前記両センサおよび前記通信手段が収容されるようにするとよい。
【００２０】
係る構成によれば、可動式の筐体を、より簡単に運搬することが可能になり、多種多様な会場に持ち込んで撮影することができて使用範囲を広げることが可能になる。
【００２１】
また、前記筐体の外部に設けられる外部ストロボをさらに備え、前記制御手段は、前記受信手段による前記操作信号の受信により、前記外部ストロボを作動させるようにしてもよい。
【００２２】
係る構成によれば、特に室外の場合、太陽光の影響により撮影画像に影が生じやすくなるため、カメラの撮影方向からのストロボ照明だけでなく、遊技者の後方から外部ストロボによる照明を加えることにより、影が生じにくいきれいな撮影画像を得ることができる。
【発明の効果】
【００２３】
本発明によれば、室内に限らず室外、屋外において催される各種イベントの会場において、多人数をきれいに撮影して楽しむことができる。また、美容室やブティック、アパレルショップ、デパートなどの服飾販売店その他の商業施設に、筐体を自由に搬入設置できるため、美容室で提供可能なヘアースタイルを撮影し、或いは、服飾販売店で販売可能な服を着たモデルを撮影することができ、遊技者自身を撮影するという個人の楽しみにとどまらず、撮影した画像を店の宣伝広告にも活用することが可能である。
【図面の簡単な説明】
【００２４】
【図１】本発明に係る可搬型撮影スタジオ装置の一実施形態の外観を示す正面図である。
【図２】図１の可搬型撮影スタジオ装置の電気的構成を模式的に示すブロック図である。
【図３】図１の可搬型撮影スタジオ装置の動作説明用フローチャートである。
【図４】図３の撮影条件設定処理の動作説明用フローチャートである。
【図５】一実施形態の使用状況を説明する平面図である。
【発明を実施するための形態】
【００２５】
本発明に係る可搬型撮影スタジオ装置の一実施形態について、図１ないし図５を参照して説明する。なお、図１は可搬型撮影スタジオ装置の外観構成を示し、図２はその電気的構成のブロック図である。
【００２６】
図１は、可搬型撮影スタジオ装置１の外観を示しており、下面に移動可能にキャスタが取り付けられた可動式の筐体２に、支持部材３によりストロボ４が３個取り付けられている。
【００２７】
ここで、筐体２は上半部２ａと下半部２ｂとが分離可能に合体されて形成され、上半部２ａの前面にカラーＣＣＤデジタルカメラ（以下、単にカメラという）５のレンズ５ａ部分を露出した状態で、カメラ５が上半部２ａに収容されるとともに、上半部２ａの前面におけるカメラ５のレンズ５ａの下方にモニタ６の画面が露出した状態で、モニタ６が上半部２ａに収容され、撮影前のビューアー画像や撮影により得られた撮影画像がモニタ６に表示される。
【００２８】
一方、下半部２ｂには、ストロボ４やカメラ５の動作制御を行うＣＰＵ、メモリを備えたコンピュータ構成の制御手段のほか、各部の給電を行う電源装置などが収容されている。ここで、カメラ５は通常の写真用印画紙に高精細にプリント可能な１０００万画素前後の画素数を有するのが望ましい。
【００２９】
ところで、各支持部材３はその長手方向に伸縮自在に構成され、各支持部材３の一端が筐体２の上半部２ａの背面側に回転自在に固定され、各支持部材３の他端が各ストロボ４の後面中央に固定され、各ストロボ４が筐体２に対する取付位置を可変自在に支持され、筐体２の上半部２ａに収容されたストロボ制御部１０（図２参照）により各ストロボ４の動作が制御される。
【００３０】
筐体２の上半部２ａには、上記したカメラ５、モニタ６が収容されるほか、図２に示すように、上半部２ａ前面のカメラ５のレンズ５ａ付近に、撮影対象の遊技者の顔認識により人数を検出する人数検出手段である人数センサ１１が収容されるとともに、上半部２ａ前面のカメラ５のレンズ５ａ付近には、超音波センサやレーザセンサから成り撮影対象の遊技者までの距離を検出する距離検出手段である距離センサ１２が収容され、上半部２ａの前面、側面には遊技者に向けて所定の案内メッセージやＢＧＭ（バックグラウンドミュージック）などを出力する複数個のスピーカ１３が収容されている。
【００３１】
さらに、図２に示すように、ストロボ４が撮影時にだけ作動して照明するのに対し、撮影の前段階から常時点灯して証明する複数の蛍光灯１４が、筐体２の上半部２ａに設けられ、夜間の撮影を可能にすべく必要な外光を提供するようになっている。また、特定の遊技者が遠隔操作手段１５を手に持って操作したときに、遠隔操作手段１５からカメラ５のシャッターを遠隔操作するための操作信号が送信され、この操作信号を受信する受信手段１６が筐体２の上半部２ａに設けられ、遠隔操作手段１５を持った遊技者の操作に基づき、カメラ５のシャッターが遠隔操作により作動されるようになっている。ここで、遠隔操作手段１５および受信手段１６が、本発明における作動手段に相当し、遠隔操作手段１５からの操作信号を受信手段１６が受信すると、受信した操作信号を本発明におけるオン信号と判断して、後述するＣＰＵ２１がカメラ５のシャッターおよび各ストロボ４を作動させる。
【００３２】
一方、筐体２の下半部２ｂには、図２に示すように、制御手段であるＣＰＵ（Ｃｅｎｔｒａｌ  Ｐｒｏｃｅｓｓｉｎｇ  Ｕｎｉｔ）２１、メモリ２２およびＨＤＤ（Ｈａｒｄ  Ｄｉｓｋ  Ｄｒｉｖｅ）２３が収容されており、ＣＰＵ２１は、撮影の際におけるＨＤＤ２３に格納された装置全体の基本動作プログラムの他、撮影に必要なプログラム、画像処理に必要なプログラム等の各種プログラムを実行する。メモリ２２は、フラッシュメモリー等の不揮発性メモリおよびＲＡＭ（Ｒａｎｄｏｍ  Ａｃｃｅｓｓ  Ｍｅｍｏｒｙ）で構成されており、ＣＰＵ２１で実行される各種プログラムや画像データ等を書換可能に一時記憶する。
【００３３】
ＨＤＤ２３は、上記したＣＰＵ２１で実行される各種プログラムや撮影条件の設定のための各種データを記憶しており、撮影対象の遊技者の人数に対応するカメラ５の画角データおよびズーム値データをマップとして予め記憶するとともに、撮影対象の遊技者までの距離に対応する各ストロボ４の強度データをマップとして予め記憶している。このように、ＨＤＤ２３は画角データ、ズーム値データおよびストロボ４の強度データの記憶することにより、本発明の「記憶手段」として機能する。
【００３４】
そして、撮影モードにおいて、人数センサ１１により撮影対象の遊技者の人数が検出され、遊技者までの距離が距離センサ１２により検出されると、ＣＰＵ２１により、人数センサ１１により検出される人数に応じた画角データおよびズーム値データがＨＤＤ２３から読み出され、カメラ５の画角およびズーム値が制御されるとともに、距離センサ１２により検出される距離に応じた強度データがＨＤＤ２３から読み出されて各ストロボ４が制御され、受信手段１６による遠隔操作手段１５からの操作信号の受信のタイミングで、カメラ５のシャッターおよび各ストロボ４が作動される。
【００３５】
また、図２に示すように、筐体２の下半部２ｂには、各スピーカ１３による音声案内を制御する音声制御装置２４が収容され、カメラ５により撮影されてＨＤＤ２３に一旦保存された撮影画像を外部のサーバー装置ＳＶにアップロードする通信手段２５が収容されている。このとき、通信手段２５は、インターネット等の通信網を介してサーバー装置ＳＶに、遊技者所有の携帯電話やスマートフォン、タブレット型のコンピュータ、ノート型のコンピュータ等のカメラ付きの携帯端末３０にダウンロード可能にカメラ５による撮影画像をアップロードする。
【００３６】
次に、制御手段であるＣＰＵ２１による制御処理手順について、図３および図４のフローチャートを参照して説明する。
【００３７】
装置１は使用を希望するユーザに数万円などの所定の貸出料金で貸し出しが許可され、筐体２の上半部２ａおよび下半部２ｂが貸し出しを申し出たユーザ主催のパーティ会場など設置場所に搬入され合体されて設置される。そして、各ストロボ４が支持部材３により筐体２に取り付けられて撮影準備が完了し、電源投入されることにより装置１が起動される。
【００３８】
装置１が起動されると、装置１は遊技者の撮影を受け付ける待機状態になり、図３に示すように、ＣＰＵ２１によりモニタ６が制御され、予め準備された撮影の手順等の報知する所定の撮影案内表示、例えば「遠隔操作手段１５を誰かが持ってね」、「カメラに向かってポーズをとってね」、「好きなタイミングでシャッターを押してね」等の案内メッセージがモニタ６の画面に表示され（ステップＳ１）、これらの案内に従って遊技者が撮影の準備を整えると、遊技者により、かめら５の画角、ズーム値等の撮影条件の設定について自動設定が選択されたかどうかの判定がなされ（ステップＳ２）、この判定結果がＹＥＳつまり自動設定が選択されたときには、後で詳述する撮影条件設定処理が行われる（ステップＳ３）。
【００３９】
一方、ステップＳ２の判定結果がＮＯつまり手動設定が選択されたときには、モニタ６に表示されるカメラ５の画角、ズーム値の設定画面の操作に従って、カメラ５の画角設定が行われるとともに（ステップＳ４）、カメラ５のズーム値が設定され（ステップＳ５）、各ストロボ４の強度が例えば高・中・低の３段階の名から選択されて設定され（ステップＳ６）、その後ステップＳ３を経た後と同様、ステップＳ７に移行する。
【００４０】
そして、ステップＳ７では、設定された撮影条件がＣＰＵ２１により確認されたかどうかの判定がなされ（ステップＳ７）、この判定結果がＮＯであれば、まだ撮影条件の設定がなされていないとして上記したステップＳ２に戻り、ステップＳ６の判定結果がＹＥＳであれば、ＣＰＵ２１により、設定された撮影条件に基づきカメラ５の画角およびズーム値が制御されるとともに各ストロボ４の強度が制御されたとして、モニタ６の画面に「撮影開始ＯＫ」のメッセージが表示されるとともに、スピーカ１３から「撮影開始ＯＫ」の音声が出力され、これらの案内に従い、モニタ６に表示されるビューアー画像を見ながら遠隔操作手段１５を持った遊技者によりシャッターを遠隔操作によりオンする操作がなされると、遠隔操作手段１５から操作信号が出力され、この操作信号が受信手段１６により受信される。
【００４１】
このとき、ステップＳ３の撮影条件の自動設定の処理は図４に示す手順で行われる。すなわち、撮影対象の遊技者が多人数であっても、距離センサ１２により、カメラ５の前方に位置する特定の遊技者までの距離、あるいは複数人の遊技者までの距離の平均の導出により撮影対象の遊技者までの距離検出が行われ（ステップＳ２１）、ＣＰＵ２１により、遊技者までの距離を取得したか否かの判定がなされ（ステップＳ２２）、この判定結果がＮＯであればステップＳ１１に戻り、判定結果がＹＥＳであれば、人数センサ１１により、撮影対象の遊技者の画像から顔が認識されて、認識された顔の数から遊技者の人数が検出され（ステップＳ２３）、ＣＰＵ２１により、遊技者の人数を取得したか否かの判定がなされる（ステップＳ２４）。
【００４２】
そして、ステップＳ２４の判定結果がＮＯであればステップＳ２１に戻り、判定結果がＹＥＳであれば、取得された人数に対応するカメラ５の画角データ、ズーム値データがＨＤＤ２３から読み出されるとともに、取得された距離に対応するストロボ４の強度データがＨＤＤ２３から読み出され、（ステップＳ２５）、撮影条件の自動設定の処理が終了する。
【００４３】
次に、図３に戻って、受信手段１６により操作信号が受信されると、ＣＰＵ２１により、操作信号を受信したタイミングで、ステップＳ３で自動設定され、または、ステップＳ４〜Ｓ６により手動設定されたカメラ５の画角、ズーム値およびストロボ４の強度での撮影が行われ（ステップＳ８）、その後、撮影するかどうかについて遊技者の選択に従った判定がなされ（ステップＳ９）、遊技者が終了を続けるとの選択行った場合にはステップＳ９の判定結果がＮＯとなって上記したステップＳ７に戻る。
【００４４】
一方、遊技者が撮影を終了するとの選択行った場合にはステップＳ９の判定結果がＹＥＳとなり、モニタ６に「撮影終了」のメッセージが表示されるとともに、スピーカ１３から「撮影終了」の音声が出力されるなどの撮影終了の報知がなされ（ステップＳ１０）、撮影画像をアップローするかどうか選択画面がモニタ６に表示されて当該遊技者にアップロードするかどうかの問い合わせがなされ（ステップＳ１１）、この問い合わせの結果がＮＯであればそのまま撮影動作は終了する。
【００４５】
一方、ステップＳ１１の問い合わせの結果がＹＥＳであれば、得られた撮影画像のなかからモニタ６の画像選択画面の操作により、サーバー装置ＳＶにアップロードする撮影画像が選択されると、ＣＰＵ２１の制御により、インターネットを介して通信手段２５によりサーバー装置ＳＶにアクセスされ、モニタ６の画像選択画面の操作により選択された撮影画像が当該遊技者のメールアドレス等の識別情報（ＩＤ）とともにサーバー装置ＳＶにアップロードされ（ステップＳ１２）、その後撮影動作は終了する。これにより、遊技者は、後日サーバー装置ＳＶから撮影画像をダウンロードして印画紙にプリントして写真を楽しむことができる。なお、遊技者のグループが変われば、再び図３の処理が実行される。
【００４６】
そして、多人数の遊技者を撮影する場合を想定して、図５中の矢印に示すように、各ストロボ４を支持する支持部材３の長さおよび角度を調節した状態で装置１を設置することにより、遊技者との距離に応じた強度で各ストロボ４が制御されつつ、自動あるいは手動で設定された図５中の１点鎖線に示す画角、ズーム値にカメラ５が制御されて撮影されるため、屋外において多人数を撮影する場合であっても、プロが撮影したのと遜色のないきれいな撮影画像を得ることができる。また、美容室やブティック、アパレルショップ、デパートなどの服飾販売店その他商業施設に、筐体２を自由に搬入設置できるため、美容室で提供可能なヘアースタイルを撮影し、或いは、服飾販売店で販売可能な服を着たモデルを撮影することができ、撮影画像をＳＮＳに投稿すれば店の宣伝にもなり、遊技者自身を撮影するという個人の楽しみにとどまらず、撮影した画像を店の宣伝広告にも活用することができて非常に有用である。
【００４７】
特に、撮影条件を自動設定する場合、人数センサ１１により撮影対象の遊技者の人数が検出されるとともに、距離センサ１２により撮影対象の遊技者までの距離が検出され、ＣＰＵ２１によって、検出された人数に応じた画角データおよびズーム値データが記憶手段であるＨＤＤ２３から読み出されてカメラ５の画角およびズーム値が制御されるとともに、検出された距離に応じた強度データがＨＤＤ２３から読み出されて各ストロボ４の強度が制御され、モニタ６に表示されるビューアー画像を見ながら遊技者が所定のタイミングで遠隔操作手段を操作することにより、ＣＰＵ２１によりカメラ５のシャッターおよび各ストロボ４が作動され、遊技者は好きなタイミングで撮影される。
【００４８】
したがって、上記した実施形態によれば、撮影後、撮影した画像をサーバー装置にアップロードすることにより、いつでもダウンロードして写真の印画紙にプリントしたり、ＳＮＳに画像を投稿したりすることができる。
【００４９】
そのため、室内に限らず室外、屋外において催される各種イベントの会場、美容室や服飾販売店などの商業施設に筐体２を設置することにより、屋内外において１人に限らず多人数をきれいに撮影して楽しむことができる。
【００５０】
また、美容室や服飾販売店に筐体２を搬入設置すれば、美容室で提供可能なヘアースタイルを撮影し、或いは、服飾販売店で販売可能な服を着たモデルを撮影することができ、遊技者自身を撮影するという個人の楽しみにとどまらず、撮影した画像をＳＮＳに投稿するなどして当該商業施設の店の宣伝広告にも活用することができて非常に有用である。
【００５１】
しかも、遠隔操作手段１５を持った遊技者が好きなタイミングで撮影することができ、表情が格式張らずに自然な状況で撮影することができる。
【００５２】
さらに、撮影で得られた撮影画像をダウンロード可能にサーバー装置ＳＶにアップロードするため、遊技者はいつでも撮影画像をダウンロードして写真の印画紙にプリントすることができ、思い出深い写真を得て楽しむことができる。
【００５３】
また、撮影条件を手動設定できるようにしたため、例えば小さい画角に多くの遊技者が密集した状態で撮影したり、逆に大きい画角に少ない人数の遊技者が分散した状態で自由なポーズで撮影するなど、予想外の面白画像を撮影で得ることができて楽しみことができる。
【００５４】
なお、本発明は上記した実施形態に限定されるものではなく、その趣旨を逸脱しない限りにおいて上述したもの以外に種々の変更を行うことができる。
【００５５】
上記した実施形態では、遊技者による遠隔操作手段１５の操作により送信される操作信号を受信手段１６が受信したタイミングでカメラ５のシャッターおよびストロボ４を作動させるようにしたが、例えばタイマ撮影を行うべく作動手段としてのタイマを設け、ＣＰＵ２１により、タイマのタイムアップ時点を本発明におけるオン信号の出力タイミングと判断して、このタイミングでＣＰＵ２１によりカメラ５のシャッターおよびストロボ４を作動させるようにしてもよい。このとき、タイマのカウントダウンの音声をスピーカ１３から出力するように、ＣＰＵ２１により音声制御部２４を制御してもよい。
【００５６】
さらに、このようなタイマによるカメラ５のシャッターおよびストロボ４の作動、または、遠隔操作手段１５の操作によるカメラ５のシャッターおよびストロボ４の作動のいずれかを、モニタ６に表示される選択画面の操作で遊技者に選択させるようにしてもよい。
【００５７】
また、上記した実施形態では、筐体２が上半部２ａと下半部２ｂとに分離可能に合体される形態を例と下が、分離しない対応であってもよい。
【００５８】
また、上記した実施形態では、筐体２に３個のストロボ４を取り付けた例を示したが、これらのストロボ４に加えて、撮影対象の遊技者の前方からだけでなく後方や側方から照明する外部ストロボを設け、ストロボ４と同様にＣＰＵ２１により作動制御するようにしてもよい。
【００５９】
また、上記した実施形態では、カメラ５の画角、ズーム値やストロボ４の強度などの撮影条件を手動でも設定できる場合について説明したが、自動設定のみ可能にしてもよい。さらに、撮影条件を手動設定するばあいに、遊技者が手元で設定できるように、遠隔操作手段１５にカメラの画角、ズーム値やストロボ４の強度を高・中・低の３段階等で設定できるようにし、こうして設定された条件データを受信手段１６により受信してＣＰＵ２１によりカメラ５およびストロボ４を制御するようにしてもよい。
【００６０】
また、上記した実施形態において、１回の撮影時間や撮影回数を制限して、多くのグループに撮影を楽しんでもらえるようにしてもよいのは勿論である。
【００６１】
また、距離センサ１２に代えて、カメラ５の画角、ズーム値をデフォルト値若しくは前回設定値に設定した状態で、遊技者がいない状況で撮影したときの画像と、遊技者がいる状況で撮影した画像とを比較することにより、遊技者の顔認識も加えて遊技者の分散範囲を導出することにより、カメラ５の画角、ズーム値を自動設定する比較手段を、距離検出手段として用いてもよい。さらに、人数検出手段も、人数を検出できるものであれば上記した顔認識による人数センサ１１に限定されるものではない。
【００６２】
また、クロマキー処理を行うために、単色の背景カーテンを可搬設置できるように設けてもよい。
【００６３】
また、カメラ５として動画を撮影できるものを使用し、撮影した動画をサーバー装置ＳＶにダウンロード可能にアップロードするようにしてもよい。さらに、印画紙にプリントして高画質の写真が得られるように、カメラにより撮影された静止画の撮影画像のデータを最適なファイルサイズに設定することが望ましい。また、静止画および動画のいずれの場合も、アップロードの際に画像データを圧縮処理しておくとよい。
【符号の説明】
【００６４】
１    …可搬型スタジオ装置
２    …筐体
３    …支持部材
４    …ストロボ
５    …カメラ
６    …モニタ
１１  …人数センサ（人数検出手段）
１２  …距離センサ（距離検出手段）
１５  …遠隔操作手段（作動手段）
１６  …受信手段（作動手段）
２１  …ＣＰＵ（制御手段）
２２  …メモリ（制御手段）
２３  …ＨＤＤ（記憶手段）
２５  …通信手段
ＳＶ  …サーバー装置
【図１】
2017060109.tif 000003
【図２】
2017060109.tif 000004
【図３】
2017060109.tif 000005
【図４】
2017060109.tif 000006
【図５】
2017060109.tif 000007